(57)【要約】【課題】ケースの内部を二つの空間に区画し、別途の空間で衣類のしわを除去することができる衣類処理装置を提供する。【解決手段】本発明による衣類処理装置は、前面が開放し、外形をなすケースと、前記ケースの内側にスチーム又は空気循環で衣類を処理する空間をなす第１衣類処理室と、前記ケースの内側の前記第１衣類処理室の一側に配置され、衣類に圧力をかけて衣類のしわを除去する空間をなす第２衣類処理室と、前記ケースの内側に配置され、前記第１衣類処理室又は前記第２衣類処理室にスチームを噴射するか空気を循環させる機械室と、前記第２衣類処理室を前記第１衣類処理室に対して区画して閉めるか、前記ケースの開放した前面に移動して前記第２衣類処理室を開けるように配置が変更される区画板とを含む。【選択図】  図１
2020203183.tif 000002
【特許請求の範囲】
【請求項１】
衣類処理装置であって、
開放し前面を有し、外形をなすケースと、
前記ケース内に回転可能に配置され、かつ、前記開放した前面を開閉するように構成されたドアと、
前記ケースの内側にスチーム又は空気循環で衣類を処理する空間をなす第１衣類処理室と、
前記ケースの内側の前記第１衣類処理室の一側に配置され、前記衣類に圧力をかけて前記衣類のしわを除去する空間をなす第２衣類処理室と、
前記ケースの内側に配置され、前記第１衣類処理室又は前記第２衣類処理室にスチームを噴射するか又は、空気を循環させる機械室と、
前記ケースの内側に配置され、前記第１衣類処理室から前記第２衣類処理室を開閉するように構成された区画板と、及び、
前記区画板の内側面に配置され、前記衣類を固定し下側に掛けるように構成された衣類固定部と、を備えてなり、
前記区画板が前記第２衣類処理室を閉じるとき、前記区画板の前記内側面は、前記第２衣類処理室に対向する前記区画板の一の面をなす、衣類処理装置。
【請求項２】
前記第２衣類処理室は、前記ケースの内部一側面に形成される、請求項１に記載の衣類処理装置。
【請求項３】
前記内部一側面は、前記ドアの回転軸に配置された面と対向する面である、請求項２に記載の衣類処理装置。
【請求項４】
前記区画板が前記第２衣類処理室を閉じるとき、前記区画板の外側面は、前記ケースの前記内部一側面を形成する、請求項２に記載の衣類処理装置。
【請求項５】
前記区画板は、前記第１衣類処理室と前記第２衣類処理室を連通させる連通孔を備えてなる、請求項４に記載の衣類処理装置。
【請求項６】
ベース板を更に備えてなり、
前記ベース板は、
前記第２衣類処理室の内側面で離隔されてなり、及び、
前記衣類固定部により固定された前記衣類を支持するように構成されてなり、
前記区画板が前記第２衣類処理室を閉じるとき、前記第２衣類処理室の前記内側面は前記区画板の前記内側面に対向するものである、請求項５に記載の衣類処理装置。
【請求項７】
前記ベース板は、
前記第２衣類処理室の前記内側面に固定されたベース固定板と、及び
前記ベース固定板から延設された、第１ベース弾性板及び第２ベース弾性板と、を備えてなり、
前記第１ベース弾性板及び前記第２ベース弾性板は、前記ベース固定板に比べて前記第２衣類処理室の前記内側面から更に離隔されてなる、請求項６に記載の衣類処理装置。
【請求項８】
前記ベース板はプレス板を更に備えてなり、
前記プレス板は、
前記区画板の前記内側面に設置されてなり、及び、
前記第１ベース弾性板及び前記第２ベース弾性板を備えた前記衣類固定部により固定される前記衣類を押圧するように構成されてなる、請求項７に記載の衣類処理装置。
【請求項９】
前記衣類固定部は前記プレス板の上側に配置される、請求項８に記載の衣類処理装置。
【請求項１０】
前記プレス板は、開口部を備えてなり、
前記開口部は、前記衣類固定部により固定される前記衣類にスチーム又は空気を供給するように構成されてなる、請求項９に記載の衣類処理装置。
【請求項１１】
離隔部を更に備えてなり、
前記離隔部は、
前記区画板の前記内側面から延設されてなり、及び、
前記第２衣類処理室の前記内側面から前記区画板を離隔するように構成されてなる、請求項２に記載の衣類処理装置。
【請求項１２】
前記区画板が前記第２衣類処理室を閉じるとき、前記離隔部は前記ケースの前面を形成する、請求項１１に記載の衣類処理装置。
【請求項１３】
移動部材を更に備えてなり、
前記移動部材は、
前記区画板における前記内側面の下側に配置されてなり、かつ、
前記区画板を回転するように構成されてなる、請求項２に記載の衣類処理装置。
【請求項１４】
第１ストッパーを更に備えてなり、
前記第１ストッパーは、前記区画板の回転範囲を制限するように構成されてなる、請求項１３に記載の衣類処理装置。
【請求項１５】
前記移動部材は、前記区画板を前記ケースの開口前方に移動するように構成されてなる、請求項１３に記載の衣類処理装置。
【発明の詳細な説明】
【技術分野】
【０００１】
本発明は衣類処理装置に関し、より詳しくはケースの内側に二つの衣類処理室が形成された衣類処理装置に関する。
【背景技術】
【０００２】
衣類処理装置は家庭内又はランドリーなどで衣類の洗濯、乾燥、しわ除去などのように衣類を管理するための全ての装置を意味する。
【０００３】
例えば、衣類処理装置は、衣類の洗濯のための洗濯機、衣類の乾燥のための乾燥機、洗濯機能及び乾燥機能を兼ねる乾燥機兼用洗濯機、衣類のリフレッシュのためのリフレッシャー（Ｒｅｆｒｅｓｈｅｒ）、衣類の不必要なしわを除去するスチーマー（Ｓｔｅａｍｅｒ）などがある。
【０００４】
リフレッシャーは衣類の状態を快適で新鮮にするための装置であり、衣類を乾燥させるとか、衣類に香を供給するとか、衣類の静電気発生を防止するとか、衣類のしわを除去するとかなどの機能を果たす。
【０００５】
大韓民国特許公開第１０−２０１４−０１８４４５７号は、スチーマーとリフレッシャーを備えた衣類処理装置を開示している。前記衣類処理装置は、空気循環又はスチームで衣類を処理する処理チャンバーと、処理チャンバーの内側で衣類を押圧してしわを除去する別途のしわ除去モジュールとを備えている。しわ除去モジュールはドアの内側に配置され、しわを除去しようとする衣類とスチーム又は空気循環で処理しようとする衣類が単一空間で処理される問題がある。
【先行技術文献】
【特許文献】
【０００６】
【特許文献１】大韓民国特許公開第１０−２０１４−０１８４４５７号明細書
【発明の概要】
【発明が解決しようとする課題】
【０００７】
本発明が解決しようとする課題は、ケースの内部を二つの空間に区画し、別途の空間で衣類のしわを除去することができる衣類処理装置を提供することである。
【０００８】
本発明の他の課題は、ケースの内部空間を区画板で二つの領域に区分する場合、内部の区画板の配置が変更されるときにも、衣類の損傷を最小化する衣類処理装置を提供することである。
【０００９】
本発明のさらに他の課題は、ケースの内部の空間を二つの領域に区画しても、衣類を押圧する領域に衣類が容易に掛けられる衣類処理装置を提供することである。
【００１０】
本発明の課題は以上で言及した課題に限られず、言及しなかった他の課題は下記の記載から当業者に明らかに理解可能であろう。
【課題を解決するための手段】
【００１１】
前記課題を達成するために、本発明による衣類処理装置は、前面が開放し、外形をなすケースと、前記ケースの内側にスチーム又は空気循環で衣類を処理する空間をなす第１衣類処理室と、前記ケースの内側の前記第１衣類処理室の一側に配置され、衣類に圧力をか
けて衣類のしわを除去する空間をなす第２衣類処理室と、前記ケースの内側に配置され、前記第１衣類処理室又は前記第２衣類処理室にスチームを噴射するか空気を循環させる機械室と、前記第２衣類処理室を前記第１衣類処理室に対して区画して閉めるか、前記ケースの開放した前面に移動して前記第２衣類処理室を開けるように配置が変更される区画板とを含むことで、第１衣類処理室と第２衣類処理室を区画し、第２衣類処理室に掛けられる衣類を区画板を前方に移動させることによって支持することができる。
【００１２】
前記区画板は、前記第２衣類処理室を前記第１衣類処理室に対して区画して閉めるとき、前記第２衣類処理室に配置される衣類を押圧することで、区画板を用いて第１衣類処理室と第２衣類処理室を区画するとともに第２衣類処理室に配置された衣類を押圧することができる。
【００１３】
前記第２衣類処理室の内側面には、前記第２衣類処理室の内部に配置された衣類を支持するベース板が配置され、前記区画板の内側面には、前記ベース板に密着し、前記ベース板との間に配置された衣類を押圧するプレス板が配置されることで、第２衣類処理室の内部で衣類のしわを除去することができる。
【００１４】
前記第２衣類処理室には、前記移動部材の回転又は直進移動をガイドする移動部材ガイド部が形成されることで、区画板が第２衣類処理室の一側に回転して移動することができる。
【００１５】
前記移動部材ガイド部は、前記区画板を前記ケースの内側で回転するように案内する第１回転ガイドと、前記区画板を前記ケースの開口した前方面で回転するように案内する第２回転ガイドと、前記第１回転ガイドと前記第２回転ガイドを直線状に連結する直進移動ガイドとを含むことで、区画板が前方に移動して回転することができる。
【００１６】
前記区画板の移動部材が前記直進移動ガイドに沿って移動するとき、前記区画板は前記第２衣類処理室の内側面に対して一定の傾斜角を維持することで、区画板が移動しても区画板に掛けられた衣類の損傷を最小化することができる。
【００１７】
前記第１回転ガイドには、前記移動部材が前記直進移動ガイドに移動するように、前記移動部材の回転範囲を制限する第１ストッパーが配置されることで、区画板は第１衣類処理室の空間をある程度確保するとともに開閉することができる。
【００１８】
前記第２回転ガイドには、前記区画板が前記第２衣類処理室の内側面に垂直に配置されるように、前記移動部材の一方向回転を制限する第２ストッパーが配置されることで、区画板の内側面が前方に向かうようになり、区画板の内側面に衣類が容易に掛けられる。
【００１９】
前記第２回転ガイドには、前記移動部材が直進移動ガイドに移動するように、前記移動部材の他方向回転を制限する第３ストッパーが配置されることで、区画板に掛けられた衣類の損傷を最小化するとともに区画板が移動することができる。
【００２０】
前記移動部材は、前記区画板の上側又は下側から突出し、前記移動部材ガイド部に沿って移動するか回転する突出部と、前記区画板の内側面から突出して前記区画板と前記突出部を連結する連結部とを含むことで、区画板が移動部材ガイドに移動及び回転することができる。
【００２１】
前記突出部は移動ガイド部に沿って回転するか特定の配置で直進移動可能な形態を有することで、区画板が移動部材ガイドに移動及び回転することができる。
【００２２】
前記区画板には前記第１衣類処理室と前記第２衣類処理室を連通させる連通孔が形成されることで、第１衣類処理室で流動する空気又はスチームが第２衣類処理室に移動することができる。
【００２３】
その他に、実施例の具体的な事項は詳細な説明及び添付図面に含まれている。
【発明の効果】
【００２４】
本発明の衣類処理装置によれば、次のような効果の一つ又はそれ以上がある。
【００２５】
第一、空気又はスチーム循環による衣類処理室と押圧による衣類処理室が区画される利点がある。
【００２６】
第二、衣類を押圧する衣類処理室を開閉する区画板が移動しても、第１衣類処理室又は第２衣類処理室内に配置される衣類の損傷が最小化する利点もある。
【００２７】
第三、区画板が開放するとき、前方に移動して内側面が前面に向かうので、第２衣類処理室に衣類が容易に掛けられる利点もある。
【００２８】
本発明の効果は以上で言及した効果に限られず、言及しなかった他の効果は請求範囲の記載から当業者に明らかに理解可能であろう。
【図面の簡単な説明】
【００２９】
【図１】本発明の一実施例による衣類処理装置のドアが開放した状態を示す図である。
【図２】本発明の一実施例によるサイクルチャンバーの構成を示す分解図である。
【図３】図２のサイクルチャンバーが結合された状態を示す図である。
【図４】本発明の一実施例による区画板の内部を示す図である。
【図５】本発明の一実施例による第１衣類処理室と第２衣類処理室を説明するための図である。
【図６】本発明の一実施例による衣類処理装置の内部の第１衣類処理室と第２衣類処理室の配置を説明するための図である。
【図７ａ−７ｄ】本実施例による区画板の回転及び移動を説明するための図である。
【図８ａ−８ｄ】図７ａ〜図７ｄのように区画板が回転及び移動するとき、移動部材の回転及び移動を説明するための図である。
【発明を実施するための形態】
【００３０】
本発明の利点及び特徴、そしてそれらを達成する方法は添付図面に基づいて詳細に後述する実施例を参照すると明らかになるであろう。しかし、本発明は以下で開示する実施例に限定されるものではなく、互いに違う多様な形態に具現されることができる。ただ、この実施例は本発明の開示を完全にし、本発明が属する技術分野で通常の知識を有する者に発明の範疇を完全に知らせるために提供するものであり、本発明は請求項の範疇によって定義されるだけである。明細書全般にわたって同じ参照符号は同じ構成要素を指す。
【００３１】
以下、本発明の実施例による衣類処理装置を説明するための図面を参照して本発明について説明する。
〔本発明の一の態様〕
〔１〕  衣類処理装置であって、
前面が開放し、外形をなすケースと、
前記ケースの内側にスチーム又は空気循環で衣類を処理する空間をなす第１衣類処理室と、
前記ケースの内側の前記第１衣類処理室の一側に配置され、衣類に圧力をかけて衣類のしわを除去する空間をなす第２衣類処理室と、
前記ケースの内側に配置され、前記第１衣類処理室又は前記第２衣類処理室にスチームを噴射するか空気を循環させる機械室と、
前記第２衣類処理室を前記第１衣類処理室に対して区画して閉めるか、前記ケースの開放した前面に移動して前記第２衣類処理室を開けるように配置が変更される区画板とを備えてなる、衣類処理装置。
〔２〕  前記区画板は、前記第２衣類処理室を前記第１衣類処理室に対して区画して閉めるとき、前記第２衣類処理室に配置された衣類を押圧する、〔１〕に記載の衣類処理装置。
〔３〕  前記第２衣類処理室の内側面には、前記第２衣類処理室の内部に配置された衣類を支持するベース板が配置され、
前記区画板の内側面には、前記ベース板に密着し、前記ベース板との間に配置された衣類を押圧するプレス板が配置される、〔１〕に記載の衣類処理装置。
〔４〕  前記区画板を回転させるか直進移動させるように前記区画板の上側と下側に突設された移動部材をさらに備えてなる、〔１〕に記載の衣類処理装置。
〔５〕  前記第２衣類処理室には、前記移動部材の回転又は直進移動をガイドする移動部材ガイド部が形成される、〔４〕に記載の衣類処理装置。
〔６〕  前記移動部材ガイド部は、
前記区画板を前記ケースの内側で回転するように案内する第１回転ガイドと、
前記区画板を前記ケースの開放した前面で回転するように案内する第２回転ガイドと、
前記第１回転ガイドと前記第２回転ガイドを直線状に連結する直進移動ガイドとを備えてなる、〔５〕に記載の衣類処理装置。
〔７〕  前記区画板の移動部材が前記直進移動ガイドに沿って移動するとき、前記区画板は前記第２衣類処理室の内側面に対して一定の傾斜角を維持する、〔６〕に記載の衣類処理装置。
〔８〕  前記第１回転ガイドには、前記移動部材が前記直進移動ガイドに移動するように、前記移動部材の回転範囲を制限する第１ストッパーが配置される、〔６〕に記載の衣類処理装置。
〔９〕  前記第２回転ガイドには、前記区画板が前記第２衣類処理室の内側面に垂直に配置されるように、前記移動部材の一方向回転を制限する第２ストッパーが配置される、〔６〕に記載の衣類処理装置。
〔１０〕  前記第２回転ガイドには、前記移動部材が直進移動ガイドに移動するように、前記移動部材の他方向回転を制限する第３ストッパーが配置される、〔９〕に記載の衣類処理装置。
〔１１〕  前記移動部材は、
前記区画板の上側又は下側から突出し、前記移動部材ガイド部に沿って移動するか回転する突出部と、
前記区画板の内側面から突出して前記区画板と前記突出部を連結する連結部とを備えてなる、〔５〕に記載の衣類処理装置。
〔１２〕  前記突出部は移動部材ガイド部に沿って回転するか、特定の配置で直進移動可能な形態を有する、〔１１〕に記載の衣類処理装置。
〔１３〕
前記区画板には、前記第１衣類処理室と前記第２衣類処理室を連通させる連通孔が形成される、〔１〕に記載の衣類処理装置。
【００３２】
＜衣類処理装置の全体構成＞
【００３３】
図１は本発明の一実施例による衣類処理装置のドアが開放した状態を示す図である。図２は本発明の一実施例によるサイクルチャンバーの構成を示す分解図である。図３は図２
のサイクルチャンバーが結合された状態を示す図である。
【００３４】
以下では、図１〜図３に基づき、本実施例による衣類処理装置の構成を説明する。
【００３５】
本実施例による衣類処理装置は、内部が中空であり、前面が開放したケース１０、及びケース１０の開放した前面を開閉するドア６４を含む。
【００３６】
本実施例によるケース１０は、内部に衣類を掛けてスチーム又は空気循環で衣類を処理する第１衣類処理室２０、衣類に圧力をかけて衣類のしわを除去する第２衣類処理室３０及び第１衣類処理室又は第２衣類処理室にスチームを噴射するか空気を循環させる装置が設置される機械室４９を含む。
【００３７】
本実施例による機械室４９は、第１衣類処理室２０又は第２衣類処理室３０に空気又はスチームを送るサイクルチャンバー５０と、サイクルチャンバー５０に水を供給するかサイクルチャンバー５０で生成した凝縮水を保存するタンクモジュール（図示せず）とを含むことができる。
【００３８】
サイクルチャンバー５０には、第１衣類処理室２０又は第２衣類処理室３０内の空気を循環させる送風ユニット５２と、第１衣類処理室２０又は第２衣類処理室３０にスチームを提供するスチームユニット５８と、第１衣類処理室２０又は第２衣類処理室３０の空気を空気調和させるヒートポンプユニット６０と、送風ユニット５２、スチームユニット５８及びヒートポンプユニット６０のそれぞれを制御する制御ユニット６２とが取り付けられる。
【００３９】
送風ユニット５２、スチームユニット５８、ヒートポンプユニット６０、制御ユニット６２などのように衣類処理装置の各行程を駆動させるための機械装置の組立体を本実施例ではサイクルアセンブリーと定義する。
【００４０】
送風ユニット５２は、ファンの回転によって空気を流動させることで、第１衣類処理室２０又は第２衣類処理室３０から空気を吸入してからヒートポンプユニット６０に吐き出す送風ファン５４と、送風ファン５４の吸入側に取り付けられ、第１衣類処理室２０又は第２衣類処理室３０の内部空気を送風ファン５４に案内するインレットダクト５６とを含む。
【００４１】
スチームユニット５８は、印加された電源によって発熱する給水タンク（図示せず）から水を受けて蒸気に変換させる。スチームは第１衣類処理室２０又は第２衣類処理室３０に吐き出され、本実施例ではヒートポンプユニット６０を介して第１衣類処理室２０又は第２衣類処理室３０に流動するように流路が構成される。
【００４２】
ヒートポンプユニット６０は圧縮機、凝縮器、蒸発器及び膨脹バルブを含む冷凍サイクルで構成され、作動モードによって第１衣類処理室２０又は第２衣類処理室３０の内部に冷却空気又は加熱空気を吐き出すことができる。
【００４３】
ヒートポンプユニット６０は送風ユニット５２から供給された空気と熱交換した空気中の水分を除湿することができる。
【００４４】
サイクルチャンバー５０の前方には水を保存するタンクモジュール（図示せず）が取り付けられることができる。本実施例による機械室４９には、インレットダクト５６の前方側にタンクモジュールが取り付けられるタンクモジュールプレ（図示せず）が取り付けられることができる。
【００４５】
タンクモジュールは、スチームユニット５８に水を供給する給水タンク（図示せず）と、第１衣類処理室２０又は第２衣類処理室３０で生成した凝縮水を集めて保存するドレインタンク（図示せず）とを含むことができる。給水タンクはスチームユニット５８に連結され、スチームユニット５８に水を供給することができる。
【００４６】
ドレインヒートポンプユニット６０に連結され、ヒートポンプユニット６０で生成した凝縮水を保存することができる。また、第１衣類処理室２０又は第２衣類処理室３０の内側面に沿って移動した水もドレインテングクに案内されて保存されることができる。
【００４７】
ドア６４は、ケース１０の前面を開閉するドアパネル６６と、ドアパネル６６及びケース１０をヒンジで連結するヒンジ部６８と、ドアパネル６６に配置され、ケース１０の縁部と密着してドア６４及びケース１０の間を密閉させるドアガスケット６９と、ドアパネル６６の内側面に配置され、第１衣類処理室２０又は第２衣類処理室３０で生成した凝縮水を分離板２４に案内するドアライナーとを含むことができる。
【００４８】
ドアパネル６６を取り囲むようにドアガスケット６９が取り付けられ、ドアガスケット６９によって前記ドア６４及びケース１０間の密閉がなされる。
【００４９】
＜ケースの内部構造＞
【００５０】
図４は本発明の一実施例による区画板の内部を示す図である。図５は本発明の一実施例による第１衣類処理室及び第２衣類処理室を説明するための図である。図６は本発明の一実施例による衣類処理装置の内部の第１衣類処理室及び第２衣類処理室の配置を説明するための図である。
【００５１】
以下では、図４〜図６に基づき、本実施例による衣類処理装置の内部の第１衣類処理室及び第２衣類処理室の構造及び配置を説明する。
【００５２】
ケース１０の内部は分離板２４を基準に第１衣類処理室２０と機械室４９に区分されることができる。本実施例による衣類処理装置は、分離板２４の上側には衣類処理室２０、３０が配置され、分離板２４の下側には機械室４９が配置される。
【００５３】
本実施例による衣類処理室の内部は区画板３２を基準に第１衣類処理室２０と第２衣類処理室３０に区画される。
【００５４】
本実施例による第１衣類処理室２０は衣類が掛けられ、スチーム又は空気循環などで衣類のしわを除去するか、匂いを脱臭する。
【００５５】
第２衣類処理室３０は第１衣類処理室２０の一側に配置される。第２衣類処理室３０はケース１０の内部一側面１４に形成される。よって、ケース１０の内部は両側面の一面１４に第２衣類処理室３０が配置される空間が形成される。第２衣類処理室３０が形成されるケース１０の内部一側面１４はドア６４とケース１０を連結するヒンジ部６８が配置された面と対向する面であり得る。第２衣類処理室３０は前方と第１衣類処理室２０の方向に開放した形態を有し、区画板３２によって外部から遮断されることができる。区画板３２は第２衣類処理室３０の内部空間を開閉するドアの機能をする。
【００５６】
第２衣類処理室３０はその内部に配置される衣類に圧力をかけて衣類のしわを除去する。第２衣類処理室３０の内側面３１と区画板３２の内側面３３の間に衣類が配置される。
【００５７】
第２衣類処理室３０には、衣類を固定して下側に垂らす衣類固定部３４、内部に配置された衣類を支持するベース板１６、及び前記ベース板１６に密着し、その間に配置された衣類を押圧するプレス板３６が配置される。
【００５８】
ベース板１６は第２衣類処理室３０の内側面３１に取り付けられる。本実施例によるベース板１６は第２衣類処理室３０の内側面３１の方向に弾性力を有する板で形成されることができる。
【００５９】
本実施例において、ベース板１６は上下方向に長く延設され、上側及び下側がそれぞれ締結部材によって第２衣類処理室３０の内側面に結合された状態を維持することができる。
【００６０】
ベース板１６は、第２衣類処理室３０に固定されるベース固定板１８と、ベース固定板１８から延設され、ベース固定板１８に比べて第２衣類処理室３０の内側面３１からもっと離隔して形成され、衣類に弾性力を提供するベース弾性板１９ａ、１９ｂとを含む。
【００６１】
本実施例において、ベース固定板１８は上下方向に長く延設され、上側及び下側がそれぞれ締結部材によって第２衣類処理室３０の内側面に結合された状態を維持することができる。
【００６２】
ベース弾性板１９ａ、１９ｂは、ベース固定板１８から前方と後方にそれぞれ延設された第１ベース弾性板１９ａと第２ベース弾性板１９ｂに区分されることができる。
【００６３】
第１ベース弾性板１９ａと第２ベース弾性板１９ｂは素材の弾性によって第２衣類処理室３０の内側面３１の方向に弾性的に変形することができる。
【００６４】
したがって、ベース板１６がプレス板３６によって押圧されるとき、ベース板１６のベース弾性板１９ａ、１９ｂは第２衣類処理室３０の内側面３１の方向に離隔してプレス板３６と均一に密着することができる。
【００６５】
衣類固定部３４とプレス板３６は区画板３２の内側面３３に取り付けられる。衣類固定部３４はプレス板３６の上側に配置される。本実施例による衣類固定部３４は区画板３２の上側に配置され、やっとこの方式で衣類を固定することができる。衣類固定部３４は、本実施例とは違い、区画板３２の上側に、衣類を固定した掛け部材（図示せず）が掛けられるように形成された衣類掛けが形成されることもできる。
【００６６】
プレス板３６は区画板３２の内側面３３に配置される。プレス板３６は、区画板３２が第２衣類処理室３０を閉鎖するように配置されるとき、ベース板１６と対向する位置に取り付けられる。区画板３２が第２衣類処理室３０を閉鎖するように配置されるとき、ベース板１６とプレス板３６が密着して、ベース板１６とプレス板３６の間に配置された衣類を押圧する。
【００６７】
プレス板３６にはスチームを衣類に供給するために開放した開口部４０が形成される。本実施例による開口部４０はプレス板の中央に形成される。本実施例とは違い、開口部４０がプレス板３６の中央以外の領域に形成されても構わない。
【００６８】
本実施例によるプレス板３６は区画板３２の内側面から離隔して形成されることができる。よって、プレス板３６と区画板３２の間にも空気が流動することができる。
【００６９】
本実施例による区画板３２は第２衣類処理室３０を開閉することができる。本実施例に
よる区画板３２は第２衣類処理室３０を第１衣類処理室２０に対して区画する。本実施例による区画板３２には、第２衣類処理室３０に配置される衣類を固定する衣類固定部３４が配置される。また、区画板３２には、衣類固定部３４の下側に衣類のしわを伸ばすように衣類を押圧するプレス板３６が配置される。
【００７０】
本実施例による区画板３２は、区画板３２を第２衣類処理室３０の内側面３１から離隔し、第２衣類処理室３０の前面を開閉する離隔部３８をさらに含むことができる。
【００７１】
本実施例による区画板３２は、区画板３２を第１衣類処理室２０と第２衣類処理室３０に区画するように配置するとか、区画板３２をケース前方に移動させるとか、区画板３２を回転させるとかする移動部材４２を含むことができる。
【００７２】
本実施例による移動部材４２は区画板３２の上側と下側にそれぞれ突出した一対が配置される。本実施例による移動部材４２は区画板３２の内側面３１の後部の上端と下端に配置される。
【００７３】
本実施例による移動部材４２は区画板３２の上側又は下側から突出し、移動部材ガイド部７０に沿って移動するか回転する突出部４４と、突出部４４と区画板３２を連結する連結部４６とに区分されることができる。連結部４６は区画板３２の内側面３１の後部の上端と下端に配置される。連結部４６は突出部４４を区画板３２に連結するためのものであり、本実施例では区画板３２の内側面３３に突出した半円柱状を持っているが、同じ機能をする限り、他の形状を有することもできる。
【００７４】
突出部４４は第２衣類処理室３０の上面と下面に形成された移動部材ガイド部７０に沿って回転又は移動することができる形状を有する。突出部４４は移動部材ガイド部７０に沿って回転するか、特定の配置で直進移動が可能な形態を有する。本実施例による突出部４４は底面が長方形である四角柱状を有する。突出部４４は連結部４６及び／又は区画板３２の上側又は下側に突設される。
【００７５】
本実施例による突出部４４は、上側から見るとき、区画板３２に対して傾斜角θをなすように配置される。区画板３２と突出部４４がなす傾斜角θは区画板３２がケース１０の内部一側面１４から最大に開けられる角度だけ形成される。区画板３２と突出部４４がなす傾斜角θはおよそ１０°〜５０°であり得る。
【００７６】
区画板３２には、第１衣類処理室２０と第２衣類処理室３０を連通させる連通孔４８が形成されることができる。連通孔４８は第１衣類処理室２０で流動する空気又はスチームが第２衣類処理室３０に流動することができるように複数のオリフィスが形成されることができる。第１衣類処理室２０で流動するスチーム又は空気は連通孔４８を通して第２衣類処理室３０に流動することができる。
【００７７】
第２衣類処理室３０の上面と下面には、区画板３２の移動部材４２が回転するか移動するように、移動部材ガイド部７０が形成される。移動部材ガイド部７０は、区画板３２がケース１０の内側で回転するように案内する第１回転ガイド７２、区画板３２をケース１０の開口した前方面で回転するように案内する第２回転ガイド７６及び第１回転ガイド７２と第２回転ガイド７６を直線状に連結する直進移動ガイド８２を含む。
【００７８】
第１回転ガイド７２は内部で移動部材４２が回転することができる円形孔である。区画板３２が第２衣類処理室３０を閉めた状態で、移動部材４２の突出部４４は第１回転ガイド７２に配置される。突出部４４は第１回転ガイド７２の内部で回転して区画板３２を回転させることができる。突出部４４は第１回転ガイド７２の内部で回転して、第２衣類処
理室３０の内部に配置された衣類を押圧するか押圧を解除することができる。
【００７９】
第１回転ガイド７２には移動部材４２の回転範囲を制限する第１ストッパー７４が形成される。第１ストッパー７４は、突出部４４が第２衣類処理室３０の内側面３１に平行に配置される範囲まで回転することができるようにする。第１ストッパー７４は、区画板３２が第２衣類処理室３０の内側面３１に対して成す傾斜角が突出部４４に対して成す傾斜角と同じになる範囲まで回転するようにする。第１ストッパー７４は、突出部４４が直進移動ガイド８２に沿って移動することができるように配置される範囲まで回転することができるようにする。第１ストッパー７４は直進移動ガイド８２の端部に配置される。第１ストッパー７４は直進移動ガイド８２に対して平行に形成される。
【００８０】
直進移動ガイド８２は第１回転ガイド７２と第２回転ガイド７６を連結する。直進移動ガイド８２が形成するガイドの幅Ｄ１は、突出部４４が移動するように、突出部４４の厚さＤ２と同じに又はそれより大きく形成される。直進移動ガイド８２はケース１０に開口した前面方向に長く形成される。
【００８１】
第２回転ガイド７６は内部で移動部材４２が回転することができる円形孔である。区画板３２が前方に突出した状態で、移動部材４２の突出部４４は第２回転ガイド７６に配置される。突出部４４は第２回転ガイド７６の内部で回転して区画板３２を回転させることができる。突出部４４は第２回転ガイド７６の内部で回転して、区画板３２の内側面３１がケース１０の開口した前方に向かうように配置されることができる。
【００８２】
本実施例による第２回転ガイド７６には、移動部材４２の一方向回転を制限する第２ストッパー７８と移動部材４２の他方向回転を制限する第３ストッパー８０が配置される。
【００８３】
第２ストッパー７８は、区画板３２の内側面３１がケース１０の開口した前方に向かうように配置されるように移動部材４２の回転を制限する。第２ストッパー７８は、区画板３２が第２衣類処理室３０の内側面３１に対して垂直に配置されるように移動部材４２の回転を制限する。
【００８４】
第３ストッパー８０は、区画板３２が第２衣類処理室３０の内側面３１に対して成す傾斜角が突出部４４に対して成す傾斜角と同じになる範囲まで移動部材４２が回転するようにする。第３ストッパー８０は、突出部４４が直進移動ガイド８２に移動することができるように配置される範囲まで回転することができるようにする。第３ストッパー８０は直進移動ガイド８２に平行に形成される。
【００８５】
突出部４４は第２回転ガイド７６の内部で回転して、区画板３２の内側面３３がケース１０の開口した前方に向かうようにするか、区画板３２が直進移動ガイド８２に沿って移動することができるようにする。
【００８６】
第１ストッパー７４と第３ストッパー８０は直進移動ガイド８２の中心を基準に対称状に形成されることができる。
【００８７】
＜区画板の移動＞
【００８８】
図７ａ〜図７ｄは本実施例による区画板の回転及び移動を説明するための図である。図８ａ〜図８ｄは図７ａ〜図７ｄのように区画板が回転及び移動するとき、移動部材の回転及び移動を説明するための図である。
【００８９】
図７ａ〜図７ｄを参照すると、区画板３２は移動部材ガイド部７０に沿って回転するか
移動することができる。以下では、説明の便宜上、図７ａの区画板の配置を第１位置、図７ｂの区画板の配置を第２位置、図７ｃの区画板の配置を第３位置、図７ｄの区画板の配置を第４位置と仮定して説明する。
【００９０】
図７ａのように区画板３２が第１位置に配置されるとき、第２衣類処理室３０は閉まった状態を維持することができる。区画板３２が第１位置に配置されるとき、区画板３２の内側面３３は第２衣類処理室３０の内側面３１と対向するように配置される。図７ａのように区画板３２が第１位置に配置されるとき、第２衣類処理室３０に配置された衣類がベース板１６とプレス板３６によって押圧される。
【００９１】
図８ａを参照すると、区画板３２が第１位置に配置されるとき、移動部材４２の突出部４４は移動部材ガイド部７０の第１回転ガイド７２に配置される。図８ａを参照すると、区画板３２が第１位置に配置されるとき、移動部材４２の突出部４４は反時計方向に回転することができる。図８ａを参照すると、区画板３２が第１位置に配置されるとき、区画板３２の離隔部３８が第２衣類処理室３０の内側面３１に接触しているから、時計方向に回転することができない。図８ａを参照すると、区画板３２が第１位置に配置されるとき、移動部材４２の突出部４４は直進移動ガイド８２に平行に配置されないから、直進移動ガイド８２に移動することができない。
【００９２】
区画板の第１位置で、移動部材４２が反時計方向に回転すれば、第１ストッパー７４の位置まで回転することができる。区画板の第１位置で、移動部材４２が反時計方向に回転して第１ストッパー７４の位置まで回転すれば、区画板３２は図７ｂのような第２位置に配置されることができる。
【００９３】
図７ｂのように区画板３２が第２位置に配置されるとき、第２衣類処理室３０は前方が一部開放した状態を維持することができる。図７ｂのように区画板３２が第２位置に配置されるとき、区画板３２はケース１０の内側面３１に対して斜めに配置される。
【００９４】
図８ｂを参照すると、区画板３２が第２位置に配置されるとき、移動部材４２の突出部４４は移動部材ガイド部７０の第１回転ガイド７２に配置される。図８ｂを参照すると、区画板３２が第２位置に配置されるとき、移動部材４２の突出部４４は時計方向に回転することができる。図８ｂを参照すると、区画板３２が第２位置に配置されるとき、移動部材４２の突出部４４が第１ストッパー７４と接触しているから、反時計方向に回転することができない。図８ｂを参照すると、区画板３２が第２位置に配置されるとき、移動部材４２の突出部４４は直進移動ガイド８２に平行に配置されるから、直進移動ガイド８２に移動することができる。
【００９５】
区画板の第２位置で、移動部材４２が直進移動ガイド８２に沿って前方に移動すれば、第２回転ガイド７６まで移動することができる。区画板の第２位置で、移動部材４２が直進移動ガイド８２に沿って移動すれば、区画板３２は図７ｃのような第３位置に配置されることができる。区画板３２が直進移動ガイド８２に沿って移動するとき、区画板３２は第２衣類処理室３０の内側面３１に対して一定の傾斜角で離隔したままで移動する。区画板３２は第２位置から第３位置に移動するとき、区画板３２が第２衣類処理室３０の内側面３１に対して一定の傾斜角で離隔したままで移動する。よって、区画板３２が第２位置から第３位置に移動しても、ベース板１６とプレス板３６の間に配置された衣類が損傷しない。
【００９６】
図７ｃのように区画板３２が第３位置に配置されるとき、第２衣類処理室３０は第１衣類処理室２０の方向に開放した状態を維持することができる。図７ｃのように区画板３２が第３位置に配置されるとき、区画板３２はケース１０の内側面３１に対して斜めに配置
される。図７ｃのように区画板３２が第３位置に配置されるとき、区画板３２はケース１０の前方に突出するように配置される。
【００９７】
図８ｃを参照すると、区画板３２が第３位置に配置されるとき、移動部材４２の突出部４４は移動部材ガイド部７０の第２回転ガイド７６に配置される。図８ｃを参照すると、区画板３２が第３位置に配置されるとき、移動部材４２の突出部４４は反時計方向に回転することができる。図８ｃを参照すると、区画板３２が第３位置に配置されるとき、移動部材４２の突出部４４が第３ストッパー８０と接触しているから、時計方向に回転することができない。図８ｃを参照すると、区画板３２が第３位置に配置されるとき、移動部材４２の突出部４４は直進移動ガイド８２に平行に配置されるから、直進移動ガイド８２に移動することができる。
【００９８】
区画板の第３位置で、移動部材４２が第２回転ガイド７６内で反時計方向に回転すれば、第２ストッパー７８と接触するまで回転することができる。区画板の第３位置で、移動部材４２が第２回転ガイド７６内で反時計方向に回転すれば、区画板３２は図７ｄのような第４位置に配置されることができる。
【００９９】
図７ｄのように区画板３２が第４位置に配置されるとき、第２衣類処理室３０は第１衣類処理室２０の方向に開放した状態を維持することができる。図７ｄのように区画板３２が第４位置に配置されるとき、区画板３２はケース１０の内側面３１に垂直に配置される。図７ｄのように区画板３２が第４位置に配置されるとき、区画板３２の内側面３１はケース１０の前方に向かうように配置される。
【０１００】
図８ｄを参照すると、区画板３２が第４位置に配置されるとき、移動部材４２の突出部４４は移動部材ガイド部７０の第２回転ガイド７６に配置される。図８ｄを参照すると、区画板３２が第４位置に配置されるとき、移動部材４２の突出部４４は時計方向に回転することができる。図８ｄを参照すると、区画板３２が第４位置に配置されるとき、移動部材４２の突出部４４が第２ストッパー７８と接触しているから、反時計方向に回転することができない。図８ｄを参照すると、区画板３２が第４位置に配置されるとき、移動部材４２の突出部４４は直進移動ガイド８２に平行に配置されるから、直進移動ガイド８２に移動することができない。
【０１０１】
以上では本発明の好適な実施例について図示して説明したが、本発明は上述した特定の実施例に限定されず、特許請求範囲で請求する本発明の要旨を逸脱することなしに本発明が属する技術分野で通常の知識を有する者によって多様な変形実施が可能であることは言うまでもなく、このような変形実施は本発明の技術的思想又は見込みから外れたものと理解されてはいけないであろう。
【符号の説明】
【０１０２】
１０    ケース
１６    ベース板
２０    第１衣類処理室
２２    衣類掛け
２４    上下分離板
３０    第２衣類処理室
３２    区画板
３４    衣類固定部
３６    プレス板
３８    離隔部
４２    移動部材
４４    突出部
４８    連通孔
４９    機械室
５０    サイクルチャンバー
６４    ドア
７０    移動部材ガイド部
７２    第１回転ガイド
７４    第１ストッパー
７６    第２回転ガイド
７８    第２ストッパー
８０    第３ストッパー
８２    直進移動ガイド
【図１】
2020203183.tif 000003
【図２】
2020203183.tif 000004
【図３】
2020203183.tif 000005
【図４】
2020203183.tif 000006
【図５】
2020203183.tif 000007
【図６】
2020203183.tif 000008
【図７ａ】
2020203183.tif 000009
【図７ｂ】
2020203183.tif 000010
【図７ｃ】
2020203183.tif 000011
【図７ｄ】
2020203183.tif 000012
【図８ａ】
2020203183.tif 000013
【図８ｂ】
2020203183.tif 000014
【図８ｃ】
2020203183.tif 000015
【図８ｄ】
2020203183.tif 000016